(57)【要約】【課題】木材の持つ本来の美しさや手触り感を損なうことなく、また多大の重量負担を生じる連結金具を使用することなく十分な機械強度を有し、しかも軽量で低コストに製造され、美しい螺旋曲線を呈する手摺を持つ木製螺旋階段を提供する。【解決手段】木製の中心柱と、この中心柱を旋回する木製の螺旋状力桁と、螺旋状力桁上に設けられた木製の螺旋状手摺とを備えた木製螺旋階段であって、木製部材からなる螺旋状力桁をその上端と下端で固定し、中心柱を中空にし、この中心柱と螺旋状力桁との間に、中心から外側に向かって拡大する扇状の木製踏み板を、螺旋状に段階的に取り付ける。【選択図】        図１
2005325622.tif 000002
【特許請求の範囲】
【請求項１】
木製の中心柱と、この中心柱を旋回する木製の螺旋状力桁と、螺旋状力桁上に設けられた木製の螺旋状手摺とを備えた木製螺旋階段であって、木製部材からなる螺旋状力桁をその上端と下端で固定し、中心柱を中空にし、この中心柱と螺旋状力桁との間に、中心から外側に向かって拡大する扇状の木製踏み板を、螺旋状に段階的に取り付けたことを特徴とする木製螺旋階段。
【請求項２】
木製の中心柱が、扇型もしくは台形の断面形状を有する複数の木製板を接合し、中空となるように構成されていることを特徴とする請求項１記載の木製螺旋階段。
【請求項３】
螺旋状手摺が、複数の木製板を積層して螺旋状に形成され、螺旋状力桁が、複数の木製板を積層して螺旋状に形成されていることを特徴とする請求項１記載の木製螺旋階段。
【請求項４】
踏み板の内周端を中心柱の外周木製板に嵌着固定し、踏み板の外周端を、螺旋状力桁に固定された支持板上に固定したことを特徴とする請求項１記載の木製螺旋階段。
【発明の詳細な説明】
【技術分野】
【０００１】
本発明は、家屋などにおける木製螺旋階段に関するものである
【背景技術】
【０００２】
従来、家屋における木製螺旋階段は複雑な軸組作業や、連結する各木部材の継ぎ手や螺旋状の手摺の曲面部などに、種々の特殊な加工が必要であり、熟練した大工職人の技術が要求され、高コストとなる等の問題点があった。
【０００３】
上記の問題点を解決するために、例えば、鋼製の支柱の外周に鋼製のリブを螺旋状に配置して固定し、該リブの上面に鋼製の支持板を水平にに固定するとともに、該支持板の上に木製の踏み板を固定した螺旋階段が提案されている（特許文献１参照。）。また、軸柱と、軸柱の外周に螺旋状に連結される複数の腕木と、複数の腕木の各上面に固定される踏み板と、複数の腕木の各外側端部に軸柱と平行にそれぞれ固定される複数の手摺柱と、これら複数の手摺柱の各間に架設されて連結される複数の手摺と、からなり、複数の各腕木が、腕木連結金具により軸柱に連結されるとともに、手摺柱と手摺が、手摺連結金具により連結される螺旋階段が提案されている（特許文献２参照。）。さらに、隣接する上下方向の手摺と手摺柱とを連結する三叉部材の各枝部の先端に結合部材を支持してあり、前記結合部材の支持構造が、三叉部材と手摺柱側の連結部材との間、三叉部材と他方の手摺側の結合部材との間は、多少ガタを有する状態で支持されている連結金具を用いることで、前記の三つの結合部材を、それぞれ隣接する上下の手摺および手摺柱の端部に取り付け固定して螺旋階段を構成するものもある（特許文献３参照。）。
【特許文献１】特開２００２−１６１６１９号公報
【特許文献２】特開平０１１−２１２１７号公報
【特許文献３】特開平１０−４６７７８号公報
【発明の開示】
【発明が解決しようとする課題】
【０００４】
しかしながら、上記特許文献１に提案されている螺旋階段の場合、鋼製の支柱や鋼製のリブを使用して、螺旋階段の主要部材を構成しており、木製の部材としては踏み板しか使用されておらず木製螺旋階段とはいい難く、意匠的に木材の持つ本来の美しさや手触り感を損なうという問題点があった。
【０００５】
また、上記特許文献２の螺旋階段では、腕木が腕木連結金具により軸柱に連結されるとともに、腕木の外側端部に固定された手摺柱と手摺が手摺連結金具により連結されているため、腕木に掛かる重量が、腕木連結金具と手摺に集中的し、各々の連結金具に多大の負担を生じる問題点があった。さらに、軸柱には無垢の木材が使用されており、充分乾燥した軸柱に仕上げるためには長時間と長コストを必要とした。
【０００６】
また、上記特許文献３の螺旋階段では、三叉部材により隣接する上下方向の手摺と手摺柱とを連結するため、施工する階段の高さや幅などにより、三叉部材と手摺及び手摺柱各々の取り付け角度が異なり、手摺の施工の際に位置ずれを生じ、そのつど手作業による調整が必要となり、しかも手摺はスムーズな螺旋曲線とはならず直線の連続となるため、見た目にも美しさが半減し、しかも木材の持つ手触り感を損なうという問題点があった。
【０００７】
本発明は、上記の問題点に鑑みなされたもので、木材の持つ本来の美しさや手触り感を損なうことなく、また多大の重量負担を生じる連結金具を使用することなく十分な機械強度を有し、しかも軽量で低コストに製造され、美しい螺旋曲線を呈する手摺を持つ木製螺旋階段を提供することを目的とする。
【課題を解決するための手段】
【０００８】
このため本発明では、木製の中心柱と、この中心柱を旋回する木製の螺旋状力桁と、螺旋状力桁上に設けられた木製の螺旋状手摺とを備えた木製螺旋階段であって、木製部材からなる螺旋状力桁をその上端と下端で固定し、中心柱を中空にし、この中心柱と螺旋状力桁との間に、中心から外側に向かって拡大する扇状の木製踏み板を、螺旋状に段階的に取り付けたことを第１の特徴とする。
【０００９】
また、木製の中心柱が、扇型または台形の断面形状を有する複数の木製板を接合し、中空となるように構成したことを第２の特徴とする。
【００１０】
さらに、螺旋状手摺が、複数の木製板を積層して螺旋状に形成され、螺旋状力桁が、複数の木製板を積層して螺旋状に形成されていることを第３の特徴とする。
【００１１】
そして、踏み板の内周端を中心柱の外周木製板に嵌着固定し、踏み板の外周端を、螺旋状力桁に固定された支持板上に固定したことを第４の特徴とする。
【発明の効果】
【００１２】
本発明に係る木製螺旋階段によれば、木製部材のみで製造されているため、木材の持つ本来の美しさや手触り感を損ないという優れた効果を有する。
【００１３】
また、木製の中心柱と、この中心柱を旋回する木製の螺旋状力桁と、扇状の木製踏み板とが連結金具を使用せずに接合されており、しかも中心柱が床面で固定され、螺旋状力桁がその上端と下端で保持されているため、十分な機械強度を有するという効果があり、さらに、中心柱は中心部が空洞になっており、無垢の木材と異なり乾燥に長時間を必要としないため低コストで製造され、しかも軽いという優れた効果を有する。
【００１４】
そして、手摺柱と螺旋状の手摺が連結金具無しに接合されているため、手摺の施工の際に手作業による調整を必要とせず、しかも木製の美しい螺旋形状を呈する手摺を提供できるという優れた特徴を有する。
【発明を実施するための最良の形態】
【００１５】
以下、本発明を実施するための最良の形態を図面に示す実施例に基づいて説明する。図１は本発明に係る木製螺旋階段の一実施例を示す正面図、図２は図１の平面図である。図３は本発明に係る中心柱の平面図、図４は本発明に係る中心柱の説明図、図５は本発明に係る螺旋状力桁の製造工程を示す説明図、図７は本発明に係る踏み板の接続を示す説明図である。
【実施例】
【００１６】
図１及び図２に示すように、本発明に係る木製螺旋階段１は、木製の中心柱２と、中心柱を旋回する木製の螺旋状力桁３と、螺旋状力桁３上に設けられた木製の螺旋状手摺４とを備えており、扇状の木製踏み板５が中心柱２と螺旋状力桁３の間に螺旋状に段階的に取り付けられている。
【００１７】
中心柱２は中空で、断面形状略円形をしており床面から垂直に立設されている。また螺旋状力桁３は、中心柱２を中心として旋回して配置され、一階の床と二階の取り付け箇所で固定されている。この中心柱２と螺旋状力桁３に扇状の木製踏み板５が螺旋状に段階的に取り付けられている木製螺旋階段は、踏み板５に掛かる荷重が中心柱２と螺旋状力桁３に分散されており十分な機械強度を有する。また、螺旋状力桁３と木製螺旋状手摺４との間には所定の間隔で木製の手摺柱６が中心柱２と平行に取り付けられている。この際、木製の手摺４と手摺柱６の取り付けには、連結金具などを使用せず、嵌合、接着等の通常の木材の接合方法がとられる。
【００１８】
ここで、本発明に係る木製螺旋階段に使用される木材としてはスギ材等が用いられ、特にオビスギと称されるスギ材は、螺旋状力桁、螺旋状手摺の製造に好適な曲げ特性に優れる。尚、スギ材に限定されず他の木材も使用可能である。
【００１９】
図３及び図４は、木製の中心柱２の構成を示しており、接合した際に外周が略円形となるように予め外形加工された、断面形状扇型の６枚の木製板７を接合部７ａにて接合し、接着剤（図示せず）により接着後圧締し、中空の中心柱２が構成される。圧締作業には専用の機械を必要とせず、プラスチック製バンド等を使用し、手作業にて中心柱２の軸方向の所定箇所を巻回し圧締しても良く、作業効率が上がる方法が適宜選択される。尚、上記木製板７の断面形状は台形であってもよく、また中心柱２の断面形状は円形だけでなく、楕円形、多角形であってもかまわない。ここで中心柱２は無垢の木製中心柱と異なり、中心部がなく乾燥に長時間を必要としないため、乾燥後に歪を生じることもなく安価に製造できる。しかも中心部がないことから重量が軽く、螺旋階段の施工の際に作業がし易いため作業効率が向上する。
【００２０】
図５は、本発明に係る木製の螺旋状力桁３の製造工程を示しており、５枚のスギ材の木製板８を積層し接着剤（図示せず）にて張り合わせ、螺旋階段の外周径と略同径の円筒形状型９の外周に、斜めに曲げ巻き付け圧締し、木製の螺旋状力桁３が形成される。同様な構成により木製螺旋状手摺４も形成される。この際使用される木製板の枚数及び大きさは木製螺旋階段の高さ、幅などによって適宜選択される。このように木製の螺旋状力桁及び螺旋状手摺が一体的に形成されるため、螺旋階段の施工時に位置ずれを生じることなく、木の持つ本来の美しさや手触り感を損なわず、また十分な機械強度があり、しかも美しい螺旋曲線を呈する木製部材が提供できる。ここで木製の螺旋状力桁及び木製の螺旋状手摺は複数に分割されていても良く、施工時の作業条件により適宜選択される。
【００２１】
図６は、本発明に係る木製の踏み板５の接続を示す説明図であり、図６ａは平面から見た接続状態を示し、図６ｂは図６ａのＡ−Ａ線断面図を示す。中心柱２の外周木製板７に設けられた取り付け孔１１に、扇状の踏み板５の内周端５ａを嵌着接合し、踏み板５の外周端５ｂを木製の螺旋状力桁３に固定された支持板８上に固定する。踏み板５の各々の接合部は、接着剤、釘などの接合部材にてさらに強固に固定される。また踏み板５は、施工される螺旋階段の高さ、外周径により取り付け角度及び取り付け高さが適宜選択され、中心柱の周囲に螺旋状に段階的に取り付けられる。さらに必要に応じ蹴込板１０が踏み板５の後側縁部に取り付けられ、階段を昇降する際の足元の安全が確保されるとともに、補強用梁としても利用される。ここで中心柱２は中空のため取り付け孔１１の加工がし易く、また踏み板５は中心柱２の取り付け孔１１と木製の螺旋状力桁３の支持板７に固定されているため十分な機械強度をもつ。
【００２２】
以上、本発明による木製螺旋階段によれば、木製部材のみで製造されているため、木の持つ本来の美しさや手触り感を損なわないという優れた特徴を有する。また連結金具を使用することなく木製の中心柱と、中心柱を旋回する木製の螺旋状力桁と、木製の扇状踏み板とが連結されており、しかも中心柱が床面で固定され、螺旋状力桁が上端と下端で保持されているため、十分な機械強度を有している。しかも中空の中心柱を使用しているため、軽く歪がでないため施工がし易く、また中心柱の製造に長時間を必要としないため、安価である。さらに三叉部材などの連結金具を使用せずに、手摺柱と螺旋状手摺が接合されているため、木製の美しい螺旋形状を呈する手摺を提供できる。
【図面の簡単な説明】
【００２３】
【図１】本発明に係る木製螺旋階段の一実施例を示す正面図である。
【図２】図１の平面図である。
【図３】本発明に係る中心柱の平面図である。
【図４】本発明に係る中心柱の説明図である。
【図５】本発明に係る螺旋状力桁の製造工程を示す説明図である。
【図６】本発明に係る踏み板の接続を示す説明図である。
【符号の説明】
【００２４】
１                  木製螺旋階段
２                  中心柱
３                  螺旋状力桁
４                  螺旋状手摺
５                  踏み板
５ａ                内周端
５ｂ                外周端
６                  手摺柱
７、８              木製板
７ａ                接合部
９                  円筒形状型
１０                  蹴込み板
１１                  接合用孔
【図１】
2005325622.tif 000003
【図２】
2005325622.tif 000004
【図３】
2005325622.tif 000005
【図４】
2005325622.tif 000006
【図５】
2005325622.tif 000007
【図６】
2005325622.tif 000008